(57)【要約】【課題】外観品質を維持し、出し入れする物品の損傷を招来することなく、外力が作用した場合にも相互の連結状態を維持する。【解決手段】後方下部横フレーム部材１２２Ａは、フレーム本体１２２Ａ１から突出し、ネジ挿通孔１２２Ａ４を有するとともに、上面に下面パネル１２１が載置される第１ビーム部１２２Ａ２を有し、第１ビーム部１２２Ａ２は下面がフレーム本体１２２Ａ１の下面よりも上方、かつその上面とフレーム本体１２２Ａ１の上面との間に取付ボルト１６の頭部１６ａよりも大きな高さを確保したものであり、連結ブラケット３０は、基部３１の両端部から延在する一対の挟持片部３２と、挟持片部３２から第１ビーム部１２２Ａ２の下面に沿う態様で延在した装着片部３３とを有し、第１ビーム部１２２Ａ２を介して装着片部３３の雌ネジ孔３４に取付ボルト１６を螺合させて２つの後方下部横フレーム部材１２２Ａの互いに離反する移動を規制する。【選択図】        図６
2008043497.tif 000002
【特許請求の範囲】
【請求項１】
上下に配置した上部材と下部材との間を側部材によって接続することにより外枠を構成した物品棚装置を、互いの外側面を接し合わせた状態で連結ブラケットにより相互に連結する物品棚装置の連結構造であって、
前記物品棚装置の下部材は、下面パネルと、この下面パネルの端縁部において少なくとも前記外側面の下端部に対応する部位に配置した下部横フレーム部材とを備えて構成し、さらに前記下部横フレーム部材は、水平方向に沿って延在するフレーム本体と、このフレーム本体において外枠の内方側に位置する内向面から内方に突出し、雄ネジ部材が挿通されるネジ挿通孔を有するとともに、このネジ挿通孔を覆う態様で上面に下面パネルが載置される内方突出片部とを有し、該内方突出片部はその下面が前記フレーム本体の下面よりも上方、かつその上面とフレーム本体の上面との間に雄ネジ部材の頭部よりも大きな高さを確保した位置に設けたものであり、
前記連結ブラケットは、外側面を介して２つの物品棚装置を接し合わせた場合に隣接する２つの下部横フレーム部材に対してそれぞれのフレーム本体の下方域に亘って配置される基部と、各フレーム本体の内向面に対向する態様で基部の両端部からそれぞれ上方に向けて延在する一対の挟持片部と、各挟持片部から内方突出片部の下面に沿う態様で延在した一対の装着片部とを有して構成し、内方突出片部を介してそれぞれ装着片部の雌ネジ孔に雄ネジ部材を螺合させることにより２つの下部横フレーム部材の互いに離反する方向への移動を規制する
ことを特徴とする物品棚装置の連結構造。
【請求項２】
前記装着片部の雌ネジ孔は、装着片部にネジ挿通孔を形成するとともに、装着片部の下面において前記ネジ挿通孔に対応する部位に雌ネジ部材を固着して構成したことを特徴とする請求項１に記載の物品棚装置の連結構造。
【請求項３】
前記下部横フレーム部材は、少なくともアルミニウムを含む金属材料により、フレーム本体及び内方突出片部を押し出し成形法で一体に構成したことを特徴とする請求項１に記載の物品棚装置の連結構造。
【請求項４】
前記下部横フレーム部材の内方突出片部は、その上面と前記フレーム本体の上面との間に下面パネルの上面をフレーム本体の上面に合致させる距離を確保した位置に設けたことを特徴とする請求項１に記載の物品棚装置の連結構造。
【請求項５】
前記連結ブラケットは、装着片部の上面を前記下部横フレーム部材における内方突出片部の下面に当接させた場合に基部の上面をフレーム本体の下面に当接させる形状に構成したことを特徴とする請求項１に記載の物品棚装置の連結構造。
【発明の詳細な説明】
【技術分野】
【０００１】
本発明は、上下に配置した上部材と下部材との間を側部材によって接続することにより外枠を構成した物品棚装置を、互いの外側面を接し合わせた状態で連結ブラケットにより相互に連結する物品棚装置の連結構造に関するものである。
【背景技術】
【０００２】
書棚等の物品棚装置を設置する場合には、例えば設置安定性を高めるため、隣接するものを互いに連結することが行われている。物品棚装置を相互に連結する構造としては、互いに並設される外側面パネルに亘って連結ブラケットを配設し、この連結ブラケットを介してそれぞれの外側面パネルにボルトを螺合させることによって物品棚装置を相互に連結するようにしたものが一般的である。しかしながら、この連結構造においては、連結ブラケットやボルトの頭部が外部に露出するため、外観品質を考慮した場合、必ずしも好ましいとはいえない。
【０００３】
こうした点を考慮し、従来においては、物品棚装置の上面を覆う上面パネルと、外側面を覆う外側面パネルとの間に目地を形成するとともに、この目地にスリットを形成し、スリットに連結ブラケットを貫入させた状態でボルトにより連結ブラケットを上面パネルの下面に取り付けるようにした連結構造が提供されている。この連結構造によれば、連結ブラケットを貫入させるためのスリットが目地に設けてあるため、物品棚装置を単体で設置する場合にもスリットが目立たつことがない。一方、物品棚装置を連結する場合には、連結ブラケットがスリットに貫入されて外部に露出しない。これらの結果、外観品質を損なうことなく隣接する物品棚装置を互いに連結することが可能になる（例えば、特許文献１参照）。
【０００４】
この場合、単に、目地のスリットから貫入した連結ブラケットをボルトによって上面パネルの下面に取り付けたのでは、物品棚装置の収容空間に連結ブラケットの先端部やボルトの頭部が突出した状態となり、収容空間に対して物品を出し入れする際にこれらの突出する連結ブラケットやボルトの頭部に干渉して物品を損傷する虞れがある。このため、特許文献１には、上面パネルの端縁部において連結ブラケットを配置する部分に凹部を形成したものも提供されている。
【０００５】
こうした連結構造によれば、連結ブラケット及びこれを螺合するボルトの頭部が凹部に収容され、収容空間に対して物品を出し入れする際に連結ブラケットやボルトの頭部が干渉する虞れがなくなり、物品に損傷を来す事態を防止することができるようになる。
【０００６】
【特許文献１】特公平７−１０２１６５号公報
【発明の開示】
【発明が解決しようとする課題】
【０００７】
ところで、物品棚装置を相互に連結した状態においては、一方の物品棚装置に外力が加えられた場合、２つの物品棚装置を引き離す態様で両者の連結部分に外力が集中することになる。すなわち、上述した連結構造にあっては、連結ブラケットを介してボルト及び上面パネルにおいてボルトが螺合する雌ネジ孔の周囲に外力が集中することになり、例えば繰り返し外力が作用した場合、あるいは外力が衝撃的に作用した場合にはボルトが脱落し、物品棚装置の連結状態が解除される事態が発生する虞れがある。特に、上記のように外観品質を考慮した連結構造では、連結ブラケットの存在が外部から視認しにくくなるため、第三者が物品棚装置を移動させようとした場合等、逆に上述した問題が頻繁に発生することになる。
【０００８】
本発明の目的は、上記実情に鑑みて、外観品質を維持し、かつ出し入れする物品の損傷を招来することなく、外力が作用した場合にも相互の連結状態を維持することのできる物品棚装置の連結構造を提供することにある。
【課題を解決するための手段】
【０００９】
上記目的を達成するため、本発明の請求項１に係る物品棚装置の連結構造は、上下に配置した上部材と下部材との間を側部材によって接続することにより外枠を構成した物品棚装置を、互いの外側面を接し合わせた状態で連結ブラケットにより相互に連結する物品棚装置の連結構造であって、前記物品棚装置の下部材は、下面パネルと、この下面パネルの端縁部において少なくとも前記外側面の下端部に対応する部位に配置した下部横フレーム部材とを備えて構成し、さらに前記下部横フレーム部材は、水平方向に沿って延在するフレーム本体と、このフレーム本体において外枠の内方側に位置する内向面から内方に突出し、雄ネジ部材が挿通されるネジ挿通孔を有するとともに、このネジ挿通孔を覆う態様で上面に下面パネルが載置される内方突出片部とを有し、該内方突出片部はその下面が前記フレーム本体の下面よりも上方、かつその上面とフレーム本体の上面との間に雄ネジ部材の頭部よりも大きな高さを確保した位置に設けたものであり、前記連結ブラケットは、外側面を介して２つの物品棚装置を接し合わせた場合に隣接する２つの下部横フレーム部材に対してそれぞれのフレーム本体の下方域に亘って配置される基部と、各フレーム本体の内向面に対向する態様で基部の両端部からそれぞれ上方に向けて延在する一対の挟持片部と、各挟持片部から内方突出片部の下面に沿う態様で延在した一対の装着片部とを有して構成し、内方突出片部を介してそれぞれ装着片部の雌ネジ孔に雄ネジ部材を螺合させることにより２つの下部横フレーム部材の互いに離反する方向への移動を規制することを特徴とする。
【００１０】
また、本発明の請求項２に係る物品棚装置の連結構造は、上述した請求項１において、前記装着片部の雌ネジ孔は、装着片部にネジ挿通孔を形成するとともに、装着片部の下面において前記ネジ挿通孔に対応する部位に雌ネジ部材を固着して構成したことを特徴とする。
【００１１】
また、本発明の請求項３に係る物品棚装置の連結構造は、上述した請求項１において、前記下部横フレーム部材は、少なくともアルミニウムを含む金属材料により、フレーム本体及び内方突出片部を押し出し成形法で一体に構成したことを特徴とする。
【００１２】
また、本発明の請求項４に係る物品棚装置の連結構造は、上述した請求項１において、前記下部横フレーム部材の内方突出片部は、その上面と前記フレーム本体の上面との間に下面パネルの上面をフレーム本体の上面に合致させる距離を確保した位置に設けたことを特徴とする。
【００１３】
また、本発明の請求項５に係る物品棚装置の連結構造は、上述した請求項１において、前記連結ブラケットは、装着片部の上面を前記下部横フレーム部材における内方突出片部の下面に当接させた場合に基部の上面をフレーム本体の下面に当接させる形状に構成したことを特徴とする。
【発明の効果】
【００１４】
本発明によれば、連結ブラケットが下部横フレーム部材の下面に配置される一方、下部横フレーム部材の内方突出片部に螺合した雄ネジ部材の頭部がフレーム本体の上面よりも下方に位置されるため、これら連結ブラケットや雄ネジ部材の頭部が直接外部に露出したり、物品の収容空間に突出することがない。これにより、外観品質を維持し、かつ出し入れする物品の損傷を招来する虞れがない。しかも、連結ブラケットは、２つの物品棚装置を接し合わせた場合に隣接する２つの下部横フレーム部材に対してそれぞれのフレーム本体の内向面に対向する態様で挟持片部を配置させるものであるため、挟持片部をフレーム本体の内向面に当接させれば、下部横フレーム部材を引き離す方向に外力が作用したとしても、雄ネジ部材やこれを螺合させる雌ネジ孔の周囲に外力が集中する事態を防止することができ、物品棚装置の相互連結状態を維持することが可能になる。
【００１５】
また、本発明によれば、装着片部にネジ挿通孔を形成するとともに、装着片部の下面においてネジ挿通孔に対応する部位に雌ネジ部材を固着して装着片部の雌ネジ孔を構成しているため、連結ブラケットの板厚を大きくすることなく雄ネジ部材の螺合領域を十分に確保して所望の締結強度を確保することが可能になる。
【００１６】
また、本発明によれば、フレーム本体及び内方突出片部を備える下部横フレーム部材を、少なくともアルミニウムを含む金属材料により押し出し成形法で一体に構成しているため、煩雑な切削作業を伴うことなくこれを容易に成形することが可能である。
【００１７】
また、本発明によれば、下部横フレーム部材の内方突出片部が、その上面とフレーム本体の上面との間に下面パネルの上面をフレーム本体の上面に合致させる距離を確保した位置に設けるようにしているため、これらフレーム本体の上面と下面パネルの上面との間に段差を生じさせることなく平坦に接続することができる。
【００１８】
また、本発明によれば、連結ブラケットが、装着片部の上面を下部横フレーム部材における内方突出片部の下面に当接させた場合に基部の上面をフレーム本体の下面に当接させる形状に構成しているため、フレーム本体から下方への突出高さを最小限に抑えることができる。
【発明を実施するための最良の形態】
【００１９】
以下に添付図面を参照して、本発明に係る物品棚装置の連結構造の好適な実施の形態について詳細に説明する。
【００２０】
図１及び図２は、本発明の実施の形態である連結構造の適用対象となる物品棚装置の外観を示したものである。ここで例示する物品棚装置は、例えばＳＯＨＯ（Small Office Home Office）等の室内において書棚として用いられるもので、外枠１０を備えている。
【００２１】
外枠１０は、互いに平行となる態様で上下に配置した上部材１１と下部材１２との間を左右の側部材１３によって接続することにより直方体状に構成したものである。上部材１１は、矩形状を成す上面パネル１１１と、上面パネル１１１の各端縁となる部位に配置した上部横フレーム部材１１２とによって矩形板状に構成したものである。下部材１２は、図３に示すように、矩形状を成す下面パネル１２１と、下面パネル１２１の各端縁となる部位に配置した下部横フレーム部材１２２とによって矩形板状に構成したもので、上部材１１との対応する４隅部の間を側部材１３となる縦フレーム部材１３１によって相互に連結することにより、該上部材１１との間に書籍等の物品を収容するための収容空間１４を画成している。
【００２２】
外枠１０の収容空間１４は、左右の側部材１３の間に下部材１２に平行となる態様で複数の棚板１５を適宜架設することにより、所望とする高さ寸法に分割することが可能である。図１及び図２では、棚板１５を２つ架設することにより、外枠１０の収容空間１４を上部収容空間１４Ａ、中間収容空間１４Ｂ、下部収容空間１４Ｃの３つに分割したものを例示している。
【００２３】
この外枠１０には、上下方向に延在する外側面のうち、上部収容空間１４Ａ及び下部収容空間１４Ｃの後面側となる外側面にそれぞれ外側面パネル２０が取り付けてある。外側面パネル２０は、図２及び図４に示すように、上部収容空間１４Ａ及び下部収容空間１４Ｃの後面を閉塞する大きさを有した矩形薄板状のパネル本体２１と、パネル本体２１の各縁部からそれぞれ同一の方向に向けて延在した４つの端縁板部２２ａ，２２ｂ，２２ｃ，２２ｄとを一体に構成したもので、左右の端縁板部２２ｃ，２２ｄにそれぞれ上下一対の雌ネジ孔２３を有している。これらの外側面パネル２０は、端縁板部２２ａ，２２ｂ，２２ｃ，２２ｄを収容空間１４の内方に向けた状態で縦フレーム部材１３１の相互間に配置した後、縦フレーム部材１３１を介して端縁板部２２ｃ，２２ｄの雌ネジ孔２３にそれぞれ取付ボルト（図示せず）を螺合させることにより、上部収容空間１４Ａの後面及び下部収容空間１４Ｃの後面を覆う態様で外枠１０に取り付けてある。
【００２４】
図３、図５及び図６に示すように、下部材１２の後面側に位置する下部横フレーム部材（以下、「後方下部横フレーム部材１２２Ａ」という）は、一様な横断面形状を有して中空の角柱状に延在するフレーム本体１２２Ａ１と、フレーム本体１２２Ａ１の一方の外側面から外方に向けて延在する第１ビーム部（内方突出片部）１２２Ａ２と、フレーム本体１２２Ａ１の他方の外側面から外方に向けて延在する第２ビーム部１２２Ａ３とを有したもので、第２ビーム部１２２Ａ３を後方に向けた状態で外枠１０の下部に水平方向に沿って配設してある。
【００２５】
第１ビーム部１２２Ａ２は、フレーム本体１２２Ａ１の外側面において高さ方向のほぼ中央となる部位の全長から水平方向に沿って板状に延設したもので、その適宜箇所、例えば長手方向の両端となる部位にネジ挿通孔１２２Ａ４を有している。第１ビーム部１２２Ａ２の上面とフレーム本体１２２Ａ１との上面には、下面パネル１２１の板厚に相当する距離が確保してある。この第１ビーム部１２２Ａ２は、その上面に下面パネル１２１の端縁部を載置させることにより、下面パネル１２１の上面とフレーム本体１２２Ａ１の上面とを合致した状態で下面パネル１２１を保持している。下面パネル１２１には、第１ビーム部１２２Ａ２のネジ挿通孔１２２Ａ４に対応する部位に、後述する取付ボルト１６の頭部１６ａを挿通することのできる切欠１２３が設けてある。
【００２６】
第２ビーム部１２２Ａ３は、その下面がフレーム本体１２２Ａ１の下面と同一の平面となる態様でフレーム本体１２２Ａ１の全長に亘る部位に設けたものである。この第２ビーム部１２２Ａ３のフレーム本体１２２Ａ１からの突出長さは、上述した外側面パネル２０におけるパネル本体２１の外表面から端縁板部２２ａ，２２ｂ，２２ｃ，２２ｄの先端までの距離に一致するように構成してある。
【００２７】
この後方下部横フレーム部材１２２Ａは、Ａｌ−Ｍｇ−Ｓｉ系アルミニウム合金（６Ｎ０１−Ｔ５）等、少なくともアルミニウムを含む金属材料によって押し出し成形法により、上述したフレーム本体１２２Ａ１、第１ビーム部１２２Ａ２、第２ビーム部１２２Ａ３が一体に成形してある。
【００２８】
尚、図１中の符号１７は、下部材１２の下面四隅部からそれぞれ下方に向けて突設した高さ調整を行うことのできる脚部材である。
【００２９】
一方、物品棚装置を相互に連結する場合に適用する連結ブラケット３０は、図６及び図７に示すように、基部３１、一対の挟持片部３２、一対の装着片部３３を有して構成してある。連結ブラケット３０の基部３１は、外側面を介して２つの物品棚装置を接し合わせた場合に隣接する２つの後方下部横フレーム部材１２２Ａに対してそれぞれのフレーム本体１２２Ａ１の下方域に亘って配置される長さを有した平板状部分である。挟持片部３２は、基部３１の両端部からそれぞれ同一方向に向けて略直角に屈曲延在した部分である。一対の挟持片部３２の相互間距離は、後方下部横フレーム部材１２２Ａにおけるフレーム本体１２２Ａ１の幅の２倍よりもごく僅かに大きく構成してある。装着片部３３は、個々の挟持片部３２の屈曲端部から互いに離隔する方向に向けて屈曲した部分であり、基部３１の延在方向に平行となる態様で延在している。挟持片部３２及び装着片部３３は、基部３１をフレーム本体１２２Ａ１の下面に当接させた場合に装着片部３３が第１ビーム部１２２Ａ２の下面に当接することのできる寸法に構成してある。
【００３０】
また、連結ブラケット３０には、装着片部３３に雌ネジ孔３４が設けてある。雌ネジ孔３４は、装着片部３３にネジ挿通孔３５を形成するとともに、装着片部３３の下面においてネジ挿通孔３５に対応する部位に雌ネジ部材３６を固着することによって構成したものである。
【００３１】
上記のように構成した連結ブラケット３０を適用して上述した物品棚装置を相互に連結する場合には、まず、後方下部横フレーム部材１２２Ａが互いに隣接する態様で２つの物品棚装置を接し合わせ、この状態から一対の挟持片部３２の間にこれら後方下部横フレーム部材１２２Ａの２つのフレーム本体１２２Ａ１を挟み込む態様で連結ブラケット３０を装着する。
【００３２】
次いで、連結ブラケット３０の装着片部３３に設けた雌ネジ孔３４を、後方下部横フレーム部材１２２Ａの第１ビーム部１２２Ａ２に設けたネジ挿通孔１２２Ａ４に合致させ、このネジ挿通孔１２２Ａ４を介して雌ネジ孔３４に取付ボルト１６を螺合すれば、この連結ブラケット３０によりそれぞれの後方下部横フレーム部材１２２Ａを介して２つの物品棚装置が互いの後面を接し合わせた状態で相互に連結され、例えばその設置安定性を向上させることが可能となる。
【００３３】
この際、第１ビーム部１２２Ａ２を介して連結ブラケット３０の雌ネジ孔３４に取付ボルト１６を螺合する作業は、図６の右側部分に示すように、下部横フレーム部材１２２に載置された下面パネル１２１を取り外せば、第１ビーム部１２２Ａ２の上方域が開放されるため、容易に行うことが可能である。しかも、相互連結した後の物品棚装置においては、下面パネル１２１を再び下部横フレーム部材１２２に載置させることにより、連結ブラケット３０や取付ボルト１６が外部や収容空間１４に露出することがないため、外観品質を損なうことがなく、また収容空間１４に対して出し入れする物品に損傷を来す虞れもない。
【００３４】
さらに、連結ブラケット３０は、２つの物品棚装置を接し合わせた場合に隣接する２つの後方下部横フレーム部材１２２Ａに対して一対の挟持片部３２がそれぞれのフレーム本体１２２Ａ１を挟み込むように配置されることになるため、仮に後方下部横フレーム部材１２２Ａを互いに引き離す方向に外力が繰り返し作用したり、衝撃的に作用したとしても、取付ボルト１６やこれを螺合させる雌ネジ孔３４の周囲に外力が集中する事態を防止することができ、物品棚装置の相互連結状態を維持することが可能になる。
【００３５】
尚、上述した実施の形態では、２つの物品棚装置を相互連結する場合に互いの後面を外側面として接し合わせるものを例示しているが、外枠において上下方向に延在する外側面であれば、必ずしも後面を相互に連結するものに限らない。例えば、物品棚装置の下部材１２において左右に位置する下部横フレーム部材１２２に第１ビーム部１２２Ａ２と同様の構成を設ければ、それぞれの左右に位置する外側面を接し合わせた状態で２つの物品棚装置を相互に連結することが可能である。
【００３６】
また、上述した実施の形態では、装着片部３３にネジ挿通孔３５を形成するとともに、装着片部３３の下面においてネジ挿通孔３５に対応する部位に雌ネジ部材３６を固着することにより雌ネジ孔３４を構成するようにしているため、連結ブラケット３０の板厚を大きくすることなく取付ボルト１６の螺合領域を十分に確保して所望の締結強度を確保することが可能になるが、必ずしもこれに限らず、連結ブラケット３０に直接雌ネジ孔３４を刻設するようにしても構わない。
【００３７】
さらに、上述した実施の形態では、装着片部３３の上面を後方下部横フレーム部材１２２Ａにおける第１ビーム部１２２Ａ２の下面に当接させた場合に基部３１の上面をフレーム本体１２２Ａ１の下面に当接させるように連結ブラケット３０を構成しているため、フレーム本体１２２Ａ１から下方への突出高さを最小限に抑えることができるが、必ずしも基部３１の上面をフレーム本体１２２Ａ１の下面に当接させる必要はない。
【００３８】
またさらに、上述した実施の形態では、後方下部横フレーム部材１２２Ａの全長に亘って第１ビーム部１２２Ａ２を設けるようにしているが、下面パネル１２１を載置することができ、かつ連結ブラケット３０の雌ネジ孔３４に取付ボルト１６を螺合させることができれば、必ずしも第１ビーム部１２２Ａ２を後方下部横フレーム部材１２２Ａの全長に亘って設ける必要はない。
【００３９】
また、上述した実施の形態では、後方下部横フレーム部材１２２Ａを、少なくともアルミニウムを含む金属材料により、フレーム本体１２２Ａ１及び第１ビーム部１２２Ａ２を押し出し成形法で一体に構成しているため、煩雑な切削作業を要することなくこれを容易に成形することが可能であるが、その成形方法は、必ずしもアルミニウムを含む金属材料による押し出し成形に限らない。
【００４０】
またさらに、上述した実施の形態では、第１ビーム部１２２Ａ２の上面とフレーム本体１２２Ａ１との上面に、下面パネル１２１の板厚に相当する距離を確保しているため、これらフレーム本体１２２Ａ１の上面と下面パネル１２１の上面との間に段差を生じさせることなく平坦に接続することができるが、本発明はこれに限定されない。
【図面の簡単な説明】
【００４１】
【図１】本発明の実施の形態である連結構造の適用対象となる物品棚装置を前面側から見た外観斜視図である。
【図２】図１に示した物品棚装置を後面側から見た外観斜視図である。
【図３】図１に示した物品棚装置の下部材を分解して示した拡大斜視図である。
【図４】図１に示した物品棚装置に適用する外側面パネルの斜視図である。
【図５】図１に示した物品棚装置に適用する下部横フレーム部材の斜視図である。
【図６】図１に示した物品棚装置の相互連結状態を示す要部断面側面図である。
【図７】図１に示した物品棚装置の相互連結状態を下方から見た斜視図である。
【符号の説明】
【００４２】
１０      外枠
１１      上部材
１２      下部材
１３      側部材
１４      収容空間
１４Ａ      上部収容空間
１４Ｂ      中間収容空間
１４Ｃ      下部収容空間
１５      棚板
１６      取付ボルト
１６ａ      頭部
２０      外側面パネル
２１      パネル本体
２３      雌ネジ孔
３０      連結ブラケット
３１      基部
３２      挟持片部
３３      装着片部
３４      雌ネジ孔
３５      ネジ挿通孔
３６      雌ネジ部材
１１１      上面パネル
１１２      上部横フレーム部材
１２１      下面パネル
１２２      下部横フレーム部材
１２２Ａ      後方下部横フレーム部材
１２２Ａ１      フレーム本体
１２２Ａ２      第１ビーム部
１２２Ａ３      第２ビーム部
１２２Ａ４      ネジ挿通孔
１２３      切欠
１３１      縦フレーム部材
【図１】
2008043497.tif 000003
【図２】
2008043497.tif 000004
【図３】
2008043497.tif 000005
【図４】
2008043497.tif 000006
【図５】
2008043497.tif 000007
【図６】
2008043497.tif 000008
【図７】
2008043497.tif 000009